(57)【特許請求の範囲】
【請求項１】
磁気テープを巻装した単一のリールをカートリッジケース内に回転可能に収容し、使用時に前記リールの回転を許容し、不使用時に前記リールの回転を拘束するリール回転制止手段を備えた磁気テープカートリッジにおいて、
前記リール回転制止手段は、前記リールに対して接離可能に移動してリールの回転を拘束する制止部材と、該制止部材を制止方向に付勢する付勢部材と、前記リールと一体に回転してドライブ側回転駆動手段のチャッキング動作に応じて移動し前記制止部材を解除方向に移動させる解除部材とを有し、
前記リールと解除部材とに相互に仮止め嵌合する凹部と凸部を設け、前記チャッキング動作時に前記凹部と凸部の仮止め嵌合が外れることを特徴とする磁気テープカートリッジ。
【請求項２】
前記リールにドライブ側回転駆動手段の駆動ギヤと噛合するリールギヤを設け、前記解除部材の一部を前記リールギヤに設けた挿通孔を通して先端が前記駆動ギヤに当接可能に設けてなり、前記挿通孔の近傍におけるリールと解除部材に前記凹部と凸部を配設したことを特徴とする請求項１に記載の磁気テープカートリッジ。
【発明の詳細な説明】
【０００１】
【発明の属する技術分野】
本発明は、磁気テープカートリッジに関し、特にカートリッジケース内に磁気テープが巻装された単一のリールを回転可能に収容してなる磁気テープカートリッジにおいて、上記リールを不使用時に回転制止状態とするリール回転制止手段の構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また保管時等の不使用時には不用意に磁気テープが引き出されないように、上記リールの回転を拘束するリール回転制止手段が設置されている。
【０００３】
上記リール回転制止手段は、リールの一部に係合してその回転を拘束する制止部材を備え、カートリッジを外部記憶装置等のドライブに装填した際には、上記制止部材をドライブ側回転駆動手段によるリールのチャッキング動作に応じて制止状態を解除するように設けている。
【０００４】
【発明が解決しようとする課題】
しかして、前述のリール回転制止手段の動作の信頼性向上、カートリッジケース内への塵埃の侵入防止等の要求から、このリール回転制止手段をリールの回転を拘束する制止部材と、この制止部材を制止方向に付勢する付勢部材と、ドライブ側回転駆動手段のチャッキング動作に応じて移動し前記制止部材を解除方向に移動させる解除部材とに分離した構造に設けることが考えられる。
【０００５】
つまり、不使用状態においては、制止部材によってリールが不用意に回転しないように拘束して磁気テープの引き出しが行われないようにしているが、カートリッジをドライブに装填して回転駆動手段によってリールのチャッキングが行われると、その動作に連係して解除部材が移動して前記制止部材を解除作動する。この状態においてはリールは回転可能となり、磁気テープの引き出し及び巻き取りが行える。
【０００６】
そして、上記のような機構においては、分離構造としていることにより、組み立てが煩雑となって工程が増加し、作業性が低下する問題を有する。特に、前記リールにドライブ側回転駆動手段の駆動ギヤと噛合するリールギヤを設け、解除部材の一部を上記リールギヤに設けた挿通孔を通して先端が前記駆動ギヤに当接するように設け、ドライブ側回転駆動手段のチャッキング動作時に上記駆動ギヤで解除部材の一部を押圧してこの解除部材を解除作動するように設けることが構造の簡素化を図ることなどで有利であるが、このような構造を採用すると解除部材とリールの組み付けがさらに煩雑なものになる。
【０００７】
本発明は上記点に鑑みなされたもので、リール回転制止手段のリールと解除部材との組み付け性を改善するようにした磁気テープカートリッジを提供せんとするものである。
【０００８】
【課題を解決するための手段】
上記課題を解決した本発明の磁気テープカートリッジは、磁気テープを巻装した単一のリールをカートリッジケース内に回転可能に収容し、使用時に前記リールの回転を許容し、不使用時に前記リールの回転を拘束するリール回転制止手段を備えたものにおいて、前記リール回転制止手段は、前記リールに対して接離可能に移動してリールの回転を拘束する制止部材と、該制止部材を制止方向に付勢する付勢部材と、前記リールと一体に回転してドライブ側回転駆動手段のチャッキング動作に応じて移動し前記制止部材を解除方向に移動させる解除部材とを有し、前記リールと解除部材とに相互に仮止め嵌合する凹部と凸部を設け、前記チャッキング動作時に前記凹部と凸部の仮止め嵌合が外れることを特徴とするものである。
【０００９】
また、前記リールにドライブ側回転駆動手段の駆動ギヤと噛合するリールギヤを設け、前記解除部材の一部を前記リールギヤに設けた挿通孔を通して先端が前記駆動ギヤに当接可能に設けたものでは、前記挿通孔の解除部材本体側の近傍におけるリールと解除部材に前記凹部と凸部を配置するのが好ましい。
【００１０】
【発明の効果】
上記のような本発明によれば、リール回転制止手段のリールと解除部材とに相互に仮止め嵌合する凹部と凸部を設け、チャッキング動作時に凹部と凸部の仮止め嵌合が外れるようにしたことにより、解除部材を凹部と凸部との仮止め嵌合でリールに予め組み付けた状態としてからカートリッジケース内に組み付けることができ、全体としての磁気テープカートリッジの組み立てを簡易に行うことができる。
【００１１】
特にリールに設けたリールギヤに開口する挿通孔に解除部材の一部を通して先端を駆動ギヤに当接可能としたもので、この挿通孔の近傍に前記凹部と凸部を配設すると、組み付けが簡易に行えると共にチャッキング動作時に凹部と凸部との仮止め嵌合が確実に外れてリール回転制止手段の動作信頼性を確保することができるものである。
【００１２】
【発明の実施の形態】
以下、図面に示す実施の形態に基づいて本発明を詳細に説明する。図１はこの実施の形態における磁気テープカートリッジの不使用状態における断面図、図２は要部の分解斜視図、図３は使用状態における要部断面図である。
【００１３】
磁気テープカートリッジ１は、単一のリール２に磁気テープ（図示省略）を巻装し、上ケース３１と中心部に開口３２ａが設けられた下ケース３２とがビス等により締結されてなるカートリッジケース３内に、上記リール２を回動可能に収容して構成されている。また、上記磁気テープカートリッジ１は、使用時に前記リール２の回転を許容し、不使用時に前記リール２の回転を拘束するリール回転制止手段１０を備えている。
【００１４】
前記リール２は、磁気テープが外周に巻回される有底円筒状のリールハブ２１と、このリールハブ２１の上下端外周からそれぞれ径方向に円盤状に張り出した下フランジ部２２及び上フランジ部２３とからなり、リールハブ２１と下フランジ部２２とが合成樹脂により一体成形され、上フランジ部２３と例えば超音波溶着により結合されている。上記リールハブ２１は中心側下部が底壁２１ａにより閉じられ、該底壁２１ａの下面外周部にはリール２を回転駆動するリールギヤ２４が環状に刻設され、このリールギヤ２４より内周側にはマグネット式吸引用の環状金属板によるリールプレート２５が取り付けられる。そして、上記リール２のリールギヤ２４及びリールプレート２５がカートリッジケース３の底面の開口３２ａに臨むように配置されている。なお、リール２は後述の付勢部材５により下方に付勢される。
【００１５】
また、ドライブ側回転駆動手段１１は、回転シャフト１２の上端面に円環状の駆動ギヤ１３とマグネット（図示せず）を備え、そのチャッキング動作は装填された磁気テープカートリッジ１に対して回転シャフト１２が上昇移動し、駆動ギヤ１３が前記リールギヤ２４に噛合すると共に、マグネットにより上記リールプレート２５を吸引して噛合状態を保持する。
【００１６】
次に、前記リール回転制止手段１０の機構を説明する。このリール回転制止手段１０は、前記リール２に対して接離可能に上下方向に移動する制止部材４と、該制止部材４を制止方向に付勢する付勢部材５と、前記制止部材４を解除方向に移動させる合成樹脂成形品の解除部材６とを有している。
【００１７】
前記リール２の底壁２１ａには、前記リールギヤ２４の部分を上下方向に貫通する３個の挿通孔２６が円周上で等間隔に配設され、さらに、底壁２１ａの上面には上記挿通孔２６と異なる位相位置に３個の係止突起２７が円周上で等間隔に立設され、この係止突起２７の先端部はギヤ歯形状に形成されている。なお、上記挿通孔２６及び係止突起２７は３個以上配置してもよく、係止突起２７の先端部は複数のギヤ歯形状としてもよい。図２に示すリール２は、底壁２１ａの部分のみ切除した状態で示している。
【００１８】
前記制止部材４は、略円盤形状で前記リール２のリールハブ２１内にその底壁２１ａと対向して配置され、下面外周部には円環状に制止用ギヤ４１が刻設され、この制止用ギヤ４１は前記係止突起２７の先端部が噛合可能である。また、制止部材４の上面には直線縦壁状の突起部４２が上方に延びて形成され、この突起部４２がカートリッジケース３の上ケース３１内面に立設されたガイド部３１ａ内の上下方向に延びる直線状の摺動溝に回転不能に規制された状態で挿入され、制止部材４が前記リール２の底壁２１ａに対して回転しない状態で接離移動可能に設置されている。なお、上記突起部４２及びガイド部３１ａの摺動溝は十字形状に設けてもよい。
【００１９】
さらに、上記制止部材４の突起部４２より外周側の上面と上ケース３１のガイド部３１ａの外周側内面との間にはコイルスプリングによる付勢部材５が縮装されて、制止部材４を下方に制止用ギヤ４１と係止突起２７とが係合する制止方向に付勢している。
【００２０】
前記解除部材６は、前記制止部材４とリールハブ２１の底壁２１ａとの間に上下移動可能に介装され、中心側の円盤部６１の外周の３個所にアーム部６２が半径方向に延びて形成され、該アーム部６２の先端下面には上下方向に延びる角棒状の押上部６３がそれぞれ設けられている。各押上部６３は、前記リールハブ２１に開口された挿通孔２６にそれぞれ出没移動可能に挿通され、その先端はリールハブ２１下面のリールギヤ２４の歯部に臨んで位置する。その際、前記係止突起２７は各アーム部６２の間に位置する。
【００２１】
そして、前記解除部材６の最下降位置（図１）では、押上部６３の下端面はリールギヤ２４の略歯先位置となり、上記リールギヤ２４にドライブ側回転駆動手段１１のチャッキング動作により駆動ギヤ１３が噛合するのに応じて解除部材６が押圧され所定のストローク量で押し上げられるようになっている（図３）。また、この解除部材６は、押上部６３の挿通孔２６への嵌合によりリール２と一体に回転する。また、前記付勢部材５によって前記制止部材４は、その下面が上記解除部材６の上面に当接するように付勢されるものであり、両者は摺動接触する。
【００２２】
なお、前記制止部材４と前記解除部材６の少なくとも一方を、二硫化モリブデン、ポリテトラフルオロエチレン、黒鉛（グラファイト）、チタン酸カリウムウィスカ、シリコーン（各種グレードのジメチルポリシロキサン及びその変性物）等の滑剤を含有する合成樹脂で成形して、その滑り性を改善してもよい。また、上記の滑剤と共に、オレイン酸アミド滑剤、エルカ酸アミド系滑剤、ステアリン酸アミド系滑剤、ビス脂肪酸アミド系滑剤、非イオン界面活性剤系滑剤、炭化水素系滑剤、脂肪酸系滑剤、エステル系滑剤、アルコール系滑剤、金属石けんなどの滑剤を添加してもよい。さらに、合成樹脂としては、ＰＣ（ポリカーボネート）、Ｐ０Ｍ（ポリオキシメチレン）、ＰＰＳ、ナイロン６又はナイロン６６などの脂肪族系ポリアミド、芳香族ポリアミド、超高分子量ポリエチレン、アイソタクチックポリプロピレン、シンジオタクチックポリスチレン、ポリイミド又はポリアミドイミド又はポリエーテルイミドなどのイミド基を有する耐摩耗性に優れた樹脂を使用するのが好適である。これにより、両者の摺動接触部分の摩擦及び摩耗が低減して、駆動抵抗の減少による安定したリールの回転が行えると共に、摩耗粉の発生を抑制して記録再生性能の信頼性を確保することができる。
【００２３】
そして、前記リール２におけるリールギヤ２４に貫通形成される挿通孔２６の近傍には、図４に示すように、テーパ形状の仮止め嵌合用の凹部２８が設けられ、これに対応する前記解除部材６の押上部６３の近傍にはくさび状の仮止め嵌合用の凸部６４が設けられている。
【００２４】
上記凹部２８と凸部６４とを仮止め嵌合した状態においてはリール２と解除部材６とは一体となり、この状態で組み立てを行う。そして、磁気テープカートリッジ１の組み立てが完了し、最初の使用状態におけるドライブ側回転駆動手段１１のチャッキング動作時に、駆動ギヤ１３が押上部６３を押圧して押し上げた際に、前記凹部２８と凸部６４との仮止め嵌合が外れ、解除部材６がリール２に対して上下方向に移動可能となる。
【００２５】
なお、前記磁気テープカートリッジ１の組み立ては、上ケース３１を上向きに置き、これに付勢部材５、制止部材４を載置した後に、前述の仮止め嵌合で解除部材６と一体としたリール２を上下を逆にして組み付け、その後、下ケース３２を結合する方式を採用すると、下面側からのビス締結が容易に行えることとなる。前記解除部材６を先に組み付け、その押上部６３に挿通孔２６を挿入しつつリール２を組み付けることでは作業性が低くなるのを改善している。
【００２６】
前記リール回転制止手段１０の作用を説明すれば、図１は磁気テープカートリッジ１の保管状態等の不使用時であり、この状態では、付勢部材５の付勢力によって制止部材４、解除部材６並びにリール２はカートリッジケース３の下ケース３２側に移動しており、下ケース３２中心部の開口３２ａはリール２によって閉塞される。解除部材６は下面がリールハブ２１の底壁２１ａ上面に当接した最下降状態にあり、その押上部６３は先端部がリールギヤ２４の歯先位置に一致するように突出しており、解除部材６の上面に当接している制止部材４も下降位置にあり、その制止用ギヤ４１にリール２の係止突起２７の先端部が係合してリール２の不使用時における回転が拘束され、磁気テープの引き出しを阻止する。
【００２７】
一方、磁気テープカートリッジ１をドライブに装填した図３のカートリッジ使用時は、ドライブ側回転駆動手段１１の回転シャフト１２がリール２の底面に対して接近し、チャッキング動作によって駆動ギヤ１３がリールギヤ２４に噛合しリール２を若干上方に移動させて保持すると、上記駆動ギヤ１３の歯先が解除部材６の押上部６３の先端中心に当接してこれを押圧して押し上げる。これに伴い、解除部材６が付勢部材５の付勢力に抗して上方へ移動し、この解除部材６と一体に制止部材４も上方の解除方向へ移動する。これにより制止用ギヤ４１と係止突起２７の係合が解除され、リール２が回転自在とされる。そして、記録再生装置のドライブによって磁気テープが引き出され又は巻き取りが行われる。
【００２８】
なお、前記仮止め嵌合用の凹部２８と凸部６４は、その形態が適宜設計変更可能であり、上下逆にした際に解除部材６の自重で外れない程度の嵌合力を有し、チャッキング時の押圧力で外れるものであればよい。また、リール２側に凸部を、解除部材６側に凹部を形成するようにしてもよい。さらに、前記押上部６３は角棒状に限定されるものではなく、丸棒状であってもよい。
【図面の簡単な説明】
【図１】本発明の一つの実施の形態による磁気テープカートリッジの不使用状態における断面正面図
【図２】図１の磁気テープカートリッジの要部の分解斜視図
【図３】図１の磁気テープカートリッジの使用状態における要部断面図
【図４】リールの挿通孔と解除部材の押上部の部分断面斜視図
【符号の説明】
１    磁気テープカートリッジ
２    リール
３    カートリッジケース
４    制止部材
５    付勢部材
６    解除部材
10    リール回転制止手段
11    ドライブ側回転駆動手段
12    回転シャフト
13    駆動ギヤ
21    リールハブ
21a     底壁
24    リールギヤ
26    挿通孔
27    係止突起
28    凹部
41    制止用ギヤ
62    アーム部
63    押上部
64    凸部
【図１】
0003739565.tif 000002
【図２】
0003739565.tif 000003
【図３】
0003739565.tif 000004
【図４】
0003739565.tif 000005